(57)【特許請求の範囲】
【請求項１】
データ送信方法であって、
第1のデバイスが、第1のパケット処理交換（PHS）ネットワークデバイスによって送信されたパケットデータを、第1のイーサネット（登録商標、以下同じ）インターフェースを使用することによって受信するとともに、第1のユニットによって送信された同相/直角位相（I/Q）データを、第1の共通公衆無線インターフェース（CPRI）ポートを使用することによって受信するステップであって、前記同相/直角位相（I/Q）データのフォーマットが共通公衆無線インターフェース（CPRI）プロトコルに準拠するステップと、
前記第1のデバイスが、受信した前記パケットデータを、フォーマットが前記共通公衆無線インターフェース（CPRI）プロトコルに準拠する変換データに変換するステップと、
前記第1のデバイスが、前記変換データおよび前記同相/直角位相（I/Q）データを多重化し、前記第1のデバイスの第3の共通公衆無線インターフェース（CPRI）ポートを使用して、共通公衆無線インターフェース（CPRI）チャネルを通じて、前記多重化したデータを第2のデバイスに送信するステップと
を含み、前記第1のパケット処理交換（PHS）ネットワークデバイスはパケット処理交換（PHS）サーバデバイスであり、前記第1のユニットはベースバンドユニット（BBU）である、または、前記第1のパケット処理交換（PHS）ネットワークデバイスはパケット処理交換（PHS）クライアントデバイスであり、前記第1のユニットはリモート無線ユニット（RRU）である、データ送信方法。
【請求項２】
前記パケットデータが、前記第1のパケット処理交換（PHS）ネットワークデバイスによって第2のパケット処理交換（PHS）ネットワークデバイスに送信されることになるデータであり、前記同相/直角位相（I/Q）データが、前記第1のユニットによって第2のユニットに送信されることになるデータであり、
前記第2のデバイスは、前記第2のパケット処理交換（PHS）ネットワークデバイスのための前記パケットデータを提供し、前記第2のユニットのための前記同相/直角位相（I/Q）データを提供するように構成され、前記第2のデバイスの第2のイーサネットインターフェースが、前記第2のパケット処理交換（PHS）ネットワークデバイスに接続され、前記第2のデバイスの第2の共通公衆無線インターフェース（CPRI）ポートが、前記第2のユニットに接続された、請求項1に記載の方法。
【請求項３】
前記第1のパケット処理交換（PHS）ネットワークデバイスがパケット処理交換（PHS）サーバデバイスであるとき、前記第2のパケット処理交換（PHS）ネットワークデバイスはパケット処理交換（PHS）クライアントデバイスであり、前記第2のユニットはリモート無線ユニット（RRU）である、または、
前記第1のパケット処理交換（PHS）ネットワークデバイスがパケット処理交換（PHS）クライアントデバイスであるとき、前記第2のパケット処理交換（PHS）ネットワークデバイスはパケット処理交換（PHS）サーバデバイスであり、前記第2のユニットはベースバンドユニット（BBU）である、請求項2に記載の方法。
【請求項４】
共通公衆無線インターフェース（CPRI）チャネルの送信資源において前記変換データおよび前記同相/直角位相（I/Q）データを前記第1のデバイスによって運ぶ前記ステップが、
前記共通公衆無線インターフェース（CPRI）チャネルの前記送信資源において前記同相/直角位相（I/Q）データを前記第1のデバイスによって運ぶステップと、
前記同相/直角位相（I/Q）データによって占有されない遊休資源を前記共通公衆無線インターフェース（CPRI）チャネルの前記送信資源において前記第1のデバイスによって獲得するステップと、
前記遊休資源において前記変換データを前記第1のデバイスによって運ぶステップと
を含む、請求項1から3のいずれか一項に記載の方法。
【請求項５】
共通公衆無線インターフェース（CPRI）チャネルの送信資源において前記変換データおよび前記同相/直角位相（I/Q）データを前記第1のデバイスによって運ぶ前記ステップが、
前記同相/直角位相（I/Q）データを運ぶために使用される第1の送信資源および前記変換データを運ぶために使用される第2の送信資源を前記共通公衆無線インターフェース（CPRI）チャネルの前記送信資源において前記第1のデバイスによって判定するステップと、
前記第1のデバイスによって前記第1の送信資源において前記同相/直角位相（I/Q）データを運び、前記第2の送信資源において前記変換データを運ぶステップと
を含む、請求項1から3のいずれか一項に記載の方法。
【請求項６】
前記共通公衆無線インターフェース（CPRI）チャネルの両端が、別個に、前記第1のデバイスの前記第3の共通公衆無線インターフェース（CPRI）ポートおよび前記第2のデバイスの第4の共通公衆無線インターフェース（CPRI）ポートであり、前記送信資源で運ばれる前記変換データおよび前記同相/直角位相（I/Q）データを第2のデバイスに送信する前記ステップが、
前記送信資源で運ばれる前記変換データおよび前記同相/直角位相（I/Q）データを前記第1のデバイスの前記第3の共通公衆無線インターフェース（CPRI）ポートを使用することによって前記第2のデバイスの前記第4の共通公衆無線インターフェース（CPRI）ポートに送信するステップ
を含む、請求項1から5のいずれか一項に記載の方法。
【請求項７】
データ転送デバイスであって、前記データ転送デバイスが、送受信機およびプロセッサを備え、前記データ転送デバイスが、共通公衆無線インターフェース（CPRI）チャネルを使用することによって第2のデバイスに接続され、前記送受信機が、第1のイーサネットインターフェースを使用することによって第1のパケット処理交換（PHS）ネットワークデバイスに接続され、前記送受信機が、第1の共通公衆無線インターフェース（CPRI）ポートを使用することによって第1のユニットに接続され、
前記送受信機が、前記第1のパケット処理交換（PHS）ネットワークデバイスによって送信されたパケットデータを前記第1のイーサネットインターフェースを使用することによって受信し、前記第1のユニットによって送信された同相/直角位相（I/Q）データを前記第1の共通公衆無線インターフェース（CPRI）ポートを使用することによって受信するように構成され、前記同相/直角位相（I/Q）データのフォーマットが共通公衆無線インターフェース（CPRI）プロトコルに準拠し、
前記プロセッサが、受信した前記パケットデータをフォーマットが前記共通公衆無線インターフェース（CPRI）プロトコルに準拠する変換データに変換するように構成され、
前記プロセッサがさらに、前記共通公衆無線インターフェース（CPRI）チャネルの送信資源において前記変換データおよび前記同相/直角位相（I/Q）データを多重化し、第1のデバイスの第3の共通公衆無線インターフェース（CPRI）ポートを使用して、共通公衆無線インターフェース（CPRI）チャネルを通じて、前記多重化したデータを前記送受信機を使用することによって前記第2のデバイスに送信するように構成され、
前記第1のパケット処理交換（PHS）ネットワークデバイスがパケット処理交換（PHS）サーバデバイスであり、前記第1のユニットがベースバンドユニット（BBU）である、または、前記第1のパケット処理交換（PHS）ネットワークデバイスがパケット処理交換（PHS）クライアントデバイスであり、前記第1のユニットがリモート無線ユニット（RRU）である、データ転送デバイス。
【請求項８】
前記パケットデータが、前記第1のパケット処理交換（PHS）ネットワークデバイスによって第2のパケット処理交換（PHS）ネットワークデバイスに送信されることになるデータであり、前記同相/直角位相（I/Q）データが、前記第1のユニットによって第2のユニットに送信されることになるデータであり、
前記第2のデバイスが、前記第2のパケット処理交換（PHS）ネットワークデバイスのための前記パケットデータを提供し、前記第2のユニットのための前記同相/直角位相（I/Q）データを提供するように構成され、前記第2のデバイスの第2のイーサネットインターフェースが前記第2のパケット処理交換（PHS）ネットワークデバイスに接続され、前記第2のデバイスの第2の共通公衆無線インターフェース（CPRI）ポートが前記第2のユニットに接続された、請求項7に記載のデバイス。
【請求項９】
前記プロセッサが、具体的に、前記共通公衆無線インターフェース（CPRI）チャネルの前記送信資源において前記同相/直角位相（I/Q）データを運び、前記同相/直角位相（I/Q）データによって占有されない遊休資源を前記共通公衆無線インターフェース（CPRI）チャネルの前記送信資源において獲得し、前記遊休資源で前記変換データを運ぶように構成された、請求項7または8に記載のデバイス。
【請求項１０】
前記プロセッサが、具体的に、前記同相/直角位相（I/Q）データを運ぶために使用される第1の送信資源および前記変換データを運ぶために使用される第2の送信資源を前記共通公衆無線インターフェース（CPRI）チャネルの前記送信資源において判定し、前記第1の送信資源で前記同相/直角位相（I/Q）データを運び、前記第2の送信資源で前記変換データを運ぶように構成された、請求項7または8に記載のデバイス。
【請求項１１】
前記共通公衆無線インターフェース（CPRI）チャネルの両端が、別個に、前記データ転送デバイスの前記第3の共通公衆無線インターフェース（CPRI）ポートおよび前記第2のデバイスの第4の共通公衆無線インターフェース（CPRI）ポートであり、
前記送受信機が、具体的に、前記データ転送デバイスの前記第3の共通公衆無線インターフェース（CPRI）ポートを使用することによって、前記送信資源で運ばれる前記変換データおよび前記同相/直角位相（I/Q）データを前記第2のデバイスの前記第4の共通公衆無線インターフェース（CPRI）ポートに送信するように構成された、請求項7から10のいずれか一項に記載のデバイス。
【請求項１２】
データ転送デバイスであって、前記データ転送デバイスが、送受信機およびプロセッサを備え、前記データ転送デバイスが、共通公衆無線インターフェース（CPRI）チャネルの一端である第4の共通公衆無線インターフェース（CPRI）ポートを使用することによって第1のデバイスに接続され、前記送受信機が、第2のイーサネットインターフェースを使用することによって第2のパケット処理交換（PHS）ネットワークデバイスに接続され、前記送受信機が、第2の共通公衆無線インターフェース（CPRI）ポートを使用することによって第2のユニットに接続され、
前記送受信機が、第4の共通公衆無線インターフェース（CPRI）ポートを使用して、前記共通公衆無線インターフェース（CPRI）チャネルの送信資源において運ばれる多重化した変換データおよび同相/直角位相（I/Q）データを前記第1のデバイスから受信するように構成され、前記変換データのフォーマットおよび前記同相/直角位相（I/Q）データのフォーマットは、両方とも、共通公衆無線インターフェース（CPRI）プロトコルに準拠し、
前記プロセッサが、前記変換データを構文解析することによってパケットデータを取得するように構成され、
前記送受信機がさらに、前記第2のイーサネットインターフェースを使用することによって前記第2のパケット処理交換（PHS）ネットワークデバイスに前記パケットデータを送信し、前記第2の共通公衆無線インターフェース（CPRI）ポートを使用することによって前記第2のユニットに前記同相/直角位相（I/Q）データを送信するように構成され、
前記第2のパケット処理交換（PHS）ネットワークデバイスはパケット処理交換（PHS）サーバデバイスであり、前記第2のユニットはベースバンドユニット（BBU）である、または、前記第2のパケット処理交換（PHS）ネットワークデバイスはパケット処理交換（PHS）クライアントデバイスであり、前記第2のユニットはリモート無線ユニット（RRU）である、データ転送デバイス。
【請求項１３】
前記パケットデータが、第1のパケット処理交換（PHS）ネットワークデバイスによって前記第2のパケット処理交換（PHS）ネットワークデバイスに送信されることになるデータであり、前記同相/直角位相（I/Q）データが、第1のユニットによって前記第2のユニットに送信されることになるデータであり、
前記第1のデバイスが、前記第1のパケット処理交換（PHS）ネットワークデバイスから前記パケットデータを受信し、前記第1のユニットから前記同相/直角位相（I/Q）データを受信し、前記パケットデータを前記変換データに変換した後に、前記共通公衆無線インターフェース（CPRI）チャネルを使用することによって前記変換データおよび前記同相/直角位相（I/Q）データを前記データ転送デバイスに送信するように構成され、
前記第1のデバイスの第1のイーサネットインターフェースが、前記第1のパケット処理交換（PHS）ネットワークデバイスに接続され、前記第1のデバイスの第1の共通公衆無線インターフェース（CPRI）ポートが、前記第1のユニットに接続された、請求項12に記載のデバイス。
【請求項１４】
前記プロセッサが、具体的に、前記同相/直角位相（I/Q）データを運ぶために使用される第1の送信資源および前記変換データを運ぶために使用される第2の送信資源を判定し、前記第1の送信資源から前記同相/直角位相（I/Q）データを読み取り、前記第2の送信資源から前記変換データを読み取るように構成された、請求項12または13に記載のデバイス。
【請求項１５】
前記プロセッサが、具体的に、第1の送信資源を判定し、前記第1の送信資源から前記同相/直角位相（I/Q）データを読み取り、前記共通公衆無線インターフェース（CPRI）チャネルの前記送信資源のうちの前記第1の送信資源を除く送信資源を判定し、前記共通公衆無線インターフェース（CPRI）チャネルの前記送信資源のうちの前記第1の送信資源を除く前記送信資源を第2の送信資源であると判定し、前記第2の送信資源から前記変換データを読み取るように構成された、請求項12または13に記載のデバイス。
【発明の詳細な説明】
【技術分野】
【０００１】
本発明の実施形態は、通信分野に関し、詳細には、データ送信方法、データ転送デバイス、およびシステムに関する。
【背景技術】
【０００２】
ワイヤレス基地局デバイスにおいて、ベースバンドユニット(Baseband Unit、BBU)およびリモート無線ユニット(Remote Radio Unit、RRU)は、共通公衆無線インターフェース(Common Public Radio Interface、CPRI)ポートを使用することによって接続される。CPRIポートの主な特徴は、ベースバンドと無線周波数との分離である。
【０００３】
BBUおよびRRUなどのCPRIポートを使用するデバイスは、周波数分割複信(Frequency Division Duplex、FDD)モードおよび時分割複信(Time Division Duplex、TDD)モードで動作することができる。CPRIポートは、双方向全二重インターフェースである。
【０００４】
本発明を実装するプロセスにおいて、本発明の発明者は、既存のCPRIポートの送信帯域幅利用率が低いことに気付いた。
【発明の概要】
【課題を解決するための手段】
【０００５】
本発明は、既存のCPRIポートの低い送信帯域幅利用率の問題を解決するために、データ送信方法、データ転送デバイス、およびシステムを提供する。
【０００６】
第1の態様によれば、本発明は、以下を含むデータ送信方法を提供する:
第1のパケット処理交換PHSネットワークデバイスによって送信されたパケットデータを第1のイーサネット（登録商標、以下同じ）インターフェースを使用することによって第1のデバイスによって受信し、第1のユニットによって送信された同相/直角位相I/Qデータを第1の共通公衆無線インターフェースCPRIポートを使用することによって受信するステップであって、I/QデータのフォーマットがCPRIプロトコルに準拠するステップと、
第1のデバイスによって、そのパケットデータをフォーマットがCPRIプロトコルに準拠する変換データに変換するステップと、
第1のデバイスによってその変換データおよびI/QデータをCPRIチャネルの送信資源において運び、その送信資源で運ばれる変換データおよびI/Qデータを第2のデバイスに送信するステップ、ここで、
第1のPHSネットワークデバイスはPHSサーバデバイスであり、第1のユニットはベースバンドユニットBBUである、または、第1のPHSネットワークデバイスはPHSクライアントデバイスであり、第1のユニットはリモート無線ユニットRRUである。
【０００７】
第1の態様を参照して、第1の態様の第1の可能な実装方式では、パケットデータは、第1のパケット処理交換PHSネットワークデバイスによって第2のPHSネットワークデバイスに送信されることになるデータであり、I/Qデータは、第1のユニットによって第2のユニットに送信されることになるデータであり、
第2のデバイスは、第2のPHSネットワークデバイスのためにパケットデータを提供し、第2のユニットのためにI/Qデータを提供するように構成され、ここで、第2のデバイスの第2のイーサネットインターフェースは、第2のPHSネットワークデバイスに接続され、第2のデバイスの第2のCPRIポートは、第2のユニットに接続される。
【０００８】
第1の態様または第1の態様の第1の可能な実装方式を参照して、第1の態様の第2の可能な実装方式では、第1のPHSネットワークデバイスがPHSサーバデバイスであるとき、第2のPHSネットワークデバイスはPHSクライアントデバイスであり、第2のユニットはRRUである、または、
第1のPHSネットワークデバイスがPHSクライアントデバイスであるとき、第2のPHSネットワークデバイスはPHSサーバデバイスであり、第2のユニットはBBUである。
【０００９】
第1の態様または第1の態様の第1の可能なもしくは第2の可能な実装方式を参照して、第1の態様の第3の可能な実装方式では、CPRIチャネルの送信資源において変換データおよびI/Qデータを第1のデバイスによって運ぶステップは、以下を含む:
CPRIチャネルの送信資源においてI/Qデータを第1のデバイスによって運ぶステップと、
I/Qデータによって占有されない遊休資源をCPRIチャネルの送信資源において第1のデバイスによって獲得するステップと、
その遊休資源において変換データを第1のデバイスによって運ぶステップ。
【００１０】
第1の態様または第1の態様の第1の可能なもしくは第2の可能な実装方式を参照して、第1の態様の第4の可能な実装方式では、CPRIチャネルの送信資源において変換データおよびI/Qデータを第1のデバイスによって運ぶステップは、以下を含む:
I/Qデータを運ぶために使用される第1の送信資源および変換データを運ぶために使用される第2の送信資源をCPRIチャネルの送信資源において第1のデバイスによって判定するステップと、
第1のデバイスによって第1の送信資源においてI/Qデータを運び、第2の送信資源において変換データを運ぶステップ。
【００１１】
第1の態様または第1の態様の第1から第4の可能な実装方式のいずれか1つを参照して、第1の態様の第5の可能な実装方式では、CPRIチャネルの両端は、別個に、第1のデバイスの第3のCPRIポートおよび第2のデバイスの第4のCPRIポートであり、送信資源で運ばれる変換データおよびI/Qデータを第2のデバイスに送信するステップは、以下を含む:
その送信資源で運ばれる変換データおよびI/Qデータを第1のデバイスの第3のCPRIポートを使用することによって第2のデバイスの第4のCPRIポートに送信するステップ。
【００１２】
第2の態様によれば、本発明の一実施形態はさらに、以下を含むもう1つのデータ送信方法を提供する:
共通公衆無線インターフェースCPRIチャネルの送信資源で運ばれる変換データおよびI/Qデータを第1のデバイスから第2のデバイスによって受信するステップであって、その変換データのフォーマットおよびそのI/Qデータのフォーマットが、両方とも、CPRIプロトコルに準拠する、ステップと、
変換データを構文解析することによって第2のデバイスによってパケットデータを取得し、第2のイーサネットインターフェースを使用することによって第2のパケット処理交換PHSネットワークデバイスにそのパケットデータを送信するステップと、
第2のCPRIポートを使用することによってI/Qデータを第2のデバイスによって第2のユニットに送信するステップ、ここで、
第2のPHSネットワークデバイスはPHSサーバデバイスであり、第2のユニットはベースバンドユニットBBUである、または、第2のPHSネットワークデバイスはPHSクライアントデバイスであり、第2のユニットはリモート無線ユニットRRUである。
【００１３】
第2の態様を参照して、第2の態様の第1の可能な実装方式では、パケットデータは、第1のパケット処理交換PHSネットワークデバイスによって第2のPHSネットワークデバイスに送信されることになるデータであり、I/Qデータは、第1のユニットによって第2のユニットに送信されることになるデータであり、
第1のデバイスは、第1のPHSネットワークデバイスからパケットデータを受信し、第1のユニットからI/Qデータを受信し、そのパケットデータを変換データに変換した後に、CPRIチャネルを使用することによって第2のデバイスにその変換データおよびI/Qデータを送信するように構成され、ここで、
第1のデバイスの第1のイーサネットインターフェースは第1のPHSネットワークデバイスに接続され、第1のデバイスの第1のCPRIポートは第1のユニットに接続される。
【００１４】
第2の態様または第2の態様の第1の可能な実装方式を参照して、第2の態様の第2の可能な実装方式では、第2のPHSネットワークデバイスがPHSサーバデバイスであるとき、第1のPHSネットワークデバイスはPHSクライアントデバイスであり、第1のユニットはRRUである、または、
第2のPHSネットワークデバイスがPHSクライアントデバイスであるとき、第1のPHSネットワークデバイスはPHSサーバデバイスであり、第1のユニットはBBUである。
【００１５】
第2の態様または第2の態様の第1の可能なもしくは第2の可能な実装方式を参照して、第2の態様の第3の可能な実装方式では、共通公衆無線インターフェースCPRIチャネルの送信資源で運ばれる変換データおよびI/Qデータを第2のデバイスによって受信するステップは、以下を含む:
I/Qデータを運ぶために使用される第1の送信資源および変換データを運ぶために使用される第2の送信資源を第2のデバイスによって判定するステップと、
第2のデバイスによって第1の送信資源からI/Qデータを読み取り、第2の送信資源から変換データを読み取るステップ。
【００１６】
第2の態様または第2の態様の第1の可能なもしくは第2の可能な実装方式を参照して、第2の態様の第4の可能な実装方式では、共通公衆無線インターフェースCPRIチャネルの送信資源で運ばれる変換データおよびI/Qデータを第2のデバイスによって受信するステップは、以下を含む:
第1の送信資源を第2のデバイスによって判定し、第1の送信資源からI/Qデータを読み取るステップと、
CPRIチャネルの送信資源のうちの第1の送信資源を除く送信資源を第2のデバイスによって判定するステップと、
第2のデバイスによってCPRIチャネルの送信資源のうちの第1の送信資源を除く送信資源を第2の送信資源であると判定し、第2の送信資源から変換データを読み取るステップ。
【００１７】
第2の態様または第2の態様の第1から第4の可能な実装方式のいずれか1つを参照して、第2の態様の第5の可能な実装方式では、CPRIチャネルの両端は、別個に、第1のデバイスの第3のCPRIポートおよび第2のデバイスの第4のCPRIポートであり、共通公衆無線インターフェースCPRIチャネルの送信資源で運ばれる変換データおよびI/Qデータを第2のデバイスによって受信するステップは、以下を含む:
第1のデバイスの第3のCPRIポートを使用することによって第1のデバイスによって送信される変換データおよびI/Qデータを第2のデバイスの第4のCPRIポートを使用することによって第2のデバイスによって受信するステップであって、変換データおよびI/Qデータが共通公衆無線インターフェースCPRIチャネルの送信資源において運ばれる、ステップ。
【００１８】
第3の態様によれば、本発明の一実施形態はさらに、データ転送デバイスを提供し、ここで:
データ転送デバイスは送受信機およびプロセッサを含み、データ転送デバイスは、共通公衆無線インターフェースCPRIチャネルを使用することによって第2のデバイスに接続され、送受信機は、第1のイーサネットインターフェースを使用することによって第1のパケット処理交換PHSネットワークデバイスに接続され、送受信機は、第1のCPRIポートを使用することによって第1のユニットに接続され、ここで、
送受信機は、第1のPHSネットワークデバイスによって送信されたパケットデータを第1のイーサネットインターフェースを使用することによって受信し、第1のユニットによって送信された同相/直角位相I/Qデータを第1のCPRIポートを使用することによって受信するように構成され、ここで、I/QデータのフォーマットはCPRIプロトコルに準拠し、
プロセッサは、パケットデータをフォーマットがCPRIプロトコルに準拠する変換データに変換するように構成され、
プロセッサはさらに、CPRIチャネルの送信資源において変換データおよびI/Qデータを運び、その送信資源で運ばれる変換データおよびI/Qデータを送受信機を使用することによって第2のデバイスに送信するように構成され、ここで、
第1のPHSネットワークデバイスはPHSサーバデバイスであり、第1のユニットはベースバンドユニットBBUである、または、第1のPHSネットワークデバイスはPHSクライアントデバイスであり、第1のユニットはリモート無線ユニットRRUである。
【００１９】
第4の態様によれば、本発明の一実施形態はさらに、もう1つのデータ転送デバイスを提供し、ここで:
データ転送デバイスは、送受信機およびプロセッサを含み、データ転送デバイスは、共通公衆無線インターフェースCPRIチャネルを使用することによって第1のデバイスに接続され、送受信機は、第2のイーサネットインターフェースを使用することによって第2のパケット処理交換PHSネットワークデバイスに接続され、送受信機は、第2のCPRIポートを使用することによって第2のユニットに接続され、ここで、
送受信機は、共通公衆無線インターフェースCPRIチャネルの送信資源で運ばれる変換データおよびI/Qデータを第1のデバイスから受信するように構成され、ここで、変換データのフォーマットおよびI/Qデータのフォーマットは、両方とも、CPRIプロトコルに準拠し、
プロセッサは、変換データを構文解析することによってパケットデータを取得するように構成され、
送受信機はさらに、第2のイーサネットインターフェースを使用することによって第2のパケット処理交換PHSネットワークデバイスにパケットデータを送信し、第2のCPRIポートを使用することによって第2のユニットにI/Qデータを送信するように構成され、ここで、
第2のPHSネットワークデバイスはPHSサーバデバイスであり、第2のユニットはベースバンドユニットBBUである、または、第2のPHSネットワークデバイスはPHSクライアントデバイスであり、第2のユニットはリモート無線ユニットRRUである。
【００２０】
第5の態様によれば、本発明の一実施形態はさらに、データ送信システムを提供し、ここで:
そのシステムは、第1のデバイスおよび第2のデバイスを含み、第1のデバイスは、第3の態様で説明されたデータ転送デバイスであり、第2のデバイスは、第4の態様で説明された第2のデバイスである。
【００２１】
前述の技術的解決法から分かるように、本発明の実施形態は以下の利点を有する:
前述の技術的解決法では、第1のデバイスによって処理された後、PHSネットワークデバイスからのパケットデータおよびBBU(またはRRU)からのI/Qデータは、CPRIチャネルの送信資源で運び、第2のデバイスに送信することができ、もう1つのPHSネットワークデバイスの第2のデバイスおよびRRU(またはBBU)によってそれぞれ提供することができる。したがって、CPRIチャネルの送信資源で運ばれるデータの量は増加し、資源活用は改善され、それによって、CPRIポートの低い送信帯域幅利用率の問題を解決する。
【図面の簡単な説明】
【００２２】
【図１−ａ】本発明の一実施形態によるデータ送信方法におけるデータ処理の概略的流れ図である。
【図１−ｂ】本発明の一実施形態によるもう1つのデータ送信方法におけるデータ処理の概略的流れ図である。
【図２】本発明の一実施形態によるデータ送信方法の概略的ブロック流れ図である。
【図３−ａ】本発明の一実施形態によるCPRIチャネルの送信資源がI/Qデータを運ぶ一実装方式の概略図である。
【図３−ｂ】本発明の一実施形態によるCPRIチャネルの遊休資源が変換データを運ぶ一実装方式の概略図である。
【図４】本発明の一実施形態によるもう1つのデータ送信方法の概略的ブロック流れ図である。
【図５−ａ】本発明の一実施形態によるCPRIチャネルの送信資源が変換データおよびI/Qデータを運ぶ一実装方式の概略図である。
【図５−ｂ】本発明の一実施形態によるCPRIデータがI/Qデータおよび変換データに逆多重化される一実装方式の概略図である。
【図６】本発明の一実施形態によるデータ転送デバイスの概略的構造組成図である。
【図７】本発明の一実施形態によるもう1つのデータ転送デバイスの概略的構造組成図である。
【図８】本発明の一実施形態によるデータ送信システムの概略的構造組成図である。
【発明を実施するための形態】
【００２３】
本発明の実施形態は、既存のCPRIポートの低い送信帯域幅利用率の問題を解決するために、データ送信方法、データ転送デバイス、およびシステムを提供する。
【００２４】
本発明の目的、特徴および利点をより明確に、より理解可能にするために、以下では、本発明の実施形態において添付の図面を参照して、本発明の実施形態において技術的解決法を明確におよび完全に説明する。明らかに、以下に説明される実施形態は、本発明の実施形態のすべてではなくて、単にその一部である。本発明の実施形態に基づいて当業者によって得られるすべての他の実施形態は、本発明の保護範囲内にあるものとする。
【００２５】
本発明の明細書、特許請求の範囲、および添付の図面において、「第1の」、「第2の」などの用語は、同様の目的物を区別することを意図されており、特定の順序または順番列を必ずしも示さない。これは単に、本発明の実施形態において同じ属性を有する目的物を説明するために使用される識別の方式であり、本方式で使用される用語は、適切な場合には交換可能であることを理解されたい。さらに、「含む」、「包含する」という用語および任意の他の変形は非排他的な包括にわたることを意味し、ユニットのリストを含む、プロセス、方法、システム、製品、または、デバイスは、それらのユニットに必ずしも限定されず、明示的に記載されないあるいはそのようなプロセス、方法、システム、製品、またはデバイスに固有の他のユニットを含み得る。
【００２６】
本発明の実施形態において提供されるデータ送信方法を詳細に紹介するために、そのデータ送信方法におけるデータ処理の実装プロセスが、先ず説明され、その後に、本発明の実施形態において提供されるデータ送信方法による2つのデータ転送デバイスの間の通信のプロセスが説明され、それらの2つのデータ転送デバイスは、別個に、第1のデータ転送デバイスおよび第2のデータ転送デバイスであり、それらの2つのデータ転送デバイスは、本実施形態の後の説明において、それぞれ第1のデバイスおよび第2のデバイスと簡単に呼ばれる。
【００２７】
本発明の一実施形態によるデータ送信方法におけるデータ処理の概略的流れ図である図1-aを参照すると、ダウンリンクデータ送信プロセスが、一例として使用される。
【００２８】
第1のデバイスが、第1のイーサネットインターフェースを使用することによってPHSサーバデバイスからパケットデータを受信し、第1のデバイスが、第1のCPRIポートを使用することによってBBUからI/Qデータを受信し、ここで、第1のCPRIポートを使用することによって第1のデバイスによって受信されるI/Qデータのフォーマットは、CPRIプロトコルに準拠し、第1のデバイスが、そのパケットデータのフォーマットをイーサネットプロトコルからCPRIプロトコルにマップし、そのパケットデータを変換データに変換し、その後、第1のデバイスが、その変換データおよびI/QデータをCPRIチャネルに多重化してCPRIデータを取得し、第1のデバイスが、CPRIチャネルを使用することによって、そのCPRIデータを第2のデバイスに送信する。
【００２９】
第2のデバイスが、第1のデバイスによって送信されたCPRIデータをCPRIチャネルを使用することによって受信し、その後に、第2のデバイスが、CPRIデータをI/Qデータおよび変換データに逆多重化し、次いで、第2のデバイスが、その変換データをパケットデータに復元し、第2のデバイスが、第2のイーサネットインターフェースを使用することによって、そのパケットデータをPHSクライアントデバイスに送信し、第2のデバイスが、第2のCPRIポートを使用することによってI/QデータをRRUに送信する。
【００３０】
第1のデバイスがCPRIデータを生成した後、第1のデバイスは、CPRIチャネルを使用することによって、CPRIデータを第2のデバイスに送信する。実際の適用例では、第1のデバイスはさらに、CPRIデータを送信するように構成された第3のCPRIポートを提供され、第2のデバイスは、CPRIチャネルを使用することによって、CPRIデータを受信することができ、この場合、第2のデバイスはさらに、CPRIデータを送信するように構成された第4のCPRIポートを提供され、CPRIデータを送信するように構成され、第1のデバイスにおいて提供される第3のCPRIポートと、CPRIデータを送信するように構成され、第2のデバイスにおいて提供される第4のCPRIポートとは、CPRIチャネルによって接続される。第1のデバイスと第2のデバイスとの間の物理CPRIチャネルは、具体的に、ファイバまたはイーサネットケーブル接続を用いて実装され得る。図1-aおよび図1-bは、第1のデバイスの第3のCPRIポートおよび第2のデバイスにおいて提供される第4のCPRIポートを示さないことに留意されたい。加えて、本発明の本実施形態では、第1のデバイスおよびPHSサーバデバイスは、具体的に、イーサネットケーブルによって接続され得る。
【００３１】
前述の実施形態では、I/QデータのフォーマットがCPRIプロトコルに準拠することは、I/QデータがCPRIフォーマットのデータであることもまた意味し得ることに留意されたい。加えて、第1のデバイスが変換データおよびI/QデータをCPRIチャネルに多重化することはまた、以下のように解釈することができる:第1のデバイスが変換データおよびI/QデータをCPRIチャネルに運び、変換データおよびI/QデータをCPRIチャネルにおいて運ぶことは、動的データ送信プロセスの観点から説明され、変換データおよびI/QデータのCPRIチャネルへの多重化は、そのデータが運ばれた後の静的結果である。本発明の本実施形態における変換データおよびI/Qデータのデータ送信方式は、いずれの説明の態様からも、正確に、明確に記録され得る。加えて、第2のデバイスが、CPRIチャネルを使用することによって、第1のデバイスによって送信されたデータを受信した後、第2のデバイスが、受信データを逆多重化して変換データおよびI/Qデータを取得し、ここで、第2のデバイスが受信データを逆多重化するプロセスは、第1のデバイスが変換データおよびI/QデータをCPRIチャネルに多重化するプロセスの逆である。具体的には、変換データおよびI/Qデータ内のフィールド識別子に従って、変換データおよびI/Qデータは、受信データを構文解析することによって取得することができる。
【００３２】
本発明の一実施形態によるもう1つのデータ送信方法におけるデータ処理の概略的流れ図である図1-bを参照すると、アップリンクデータ送信プロセスが、一例として使用される。
【００３３】
第1のデバイスが、第1のイーサネットインターフェースを使用することによって、PHSクライアントデバイスからパケットデータを受信し、第1のデバイスが、第1のCPRIポートを使用することによって、RRUからI/Qデータを受信し、ここで、第1のCPRIポートを使用することによって第1のデバイスによって受信されるI/Qデータは、CPRIプロトコルに準拠し、第1のデバイスが、そのパケットデータのフォーマットをイーサネットプロトコルからCPRIプロトコルにマップし、そのパケットデータを変換データに変換し、その後に、第1のデバイスが、その変換データおよびI/QデータをCPRIチャネルに多重化してCPRIデータを取得し、第1のデバイスが、CPRIチャネルを使用することによって、そのCPRIデータを第2のデバイスに送信する。
【００３４】
第2のデバイスが、第1のデバイスによって送信されたCPRIデータをCPRIチャネルを使用することによって受信し、その後に、第2のデバイスが、CPRIデータをI/Qデータおよび変換データに逆多重化し、次いで、第2のデバイスが、その変換データをパケットデータに復元し、第2のデバイスが、第2のイーサネットインターフェースを使用することによって、パケットデータをPHSサーバデバイスに送信し、第2のデバイスが、第2のCPRIポートを使用することによって、I/QデータをBBUに送信する。
【００３５】
以上のように、第1のデバイスは、パケットデータをフォーマットがCPRIプロトコルに準拠する変換データに変換し、変換データおよびI/QデータをCPRIチャネルに多重化してCPRIデータを取得することができる。言い換えれば、第1のデバイスは、CPRIチャネルを使用することによって、パケットデータおよびI/Qデータの同時送信を実装することができる。第2のデバイス側では、第2のデバイスは、CPRIチャネルを使用することによって、第1のデバイスによって送信されたCPRIデータを受信することができ、第2のデバイスは、CPRIデータを逆多重化してI/Qデータおよび変換データを取得し、パケットデータのデータ内容を変更せず、PHSネットワークデバイスによるパケットデータの通常の使用に影響を及ぼさないパケットデータに変換データを復元する。したがって、BBUまたはRRUによって送信されるI/Qデータは、CPRIチャネルの送信資源の一部のみを占有し、CPRIチャネルの送信資源が、BBUとRRUとの間で送信されるI/Qデータを運んだ後も、遊休資源はまだ存在し得る。これらの遊休資源は、PHSネットワークデバイスによって送信されたパケットデータを送信するために使用することができ、これは、I/QデータのみがCPRIチャネルで送信されるときに生じる資源の無駄を防ぐことができ、BBUとRRUとの間でI/Qデータを送信するために使用されるCPRIチャネルの送信帯域幅利用率を大きく改善することができる。さらに、PHSネットワークデバイスによって送信されたパケットデータは、送信するためにCPRIチャネルに多重化することができ、これは、パケットデータを送信するために使用されるネットワーク資源を節約することができる。
【００３６】
データ送信プロセス全体の前述の説明によって、本発明の本実施形態における詳細なデータ処理プロセス全体が理解され得る。続いて、データ転送デバイスが、別個に詳細に説明される。以下の実施形態の説明では、第1のデータ転送デバイスは簡単に第1のデバイスと呼ばれ、第2のデータ転送デバイスは簡単に第2のデバイスと呼ばれる。
【００３７】
本発明のデータ送信方法の一実施形態は、第1のデバイスに適用され得る。本方法は、以下を含み得る:第1のパケット処理交換(Packet Handling Switching、PHS)ネットワークデバイスによって送信されたパケットデータを第1のイーサネットインターフェースを使用することによって第1のデバイスによって受信し、第1のユニットによって送信された同相/直角位相(In-Phase and Quadrature、I/Q)データを第1のCPRIポートを使用することによって受信するステップと、パケットデータをフォーマットがCPRIプロトコルに準拠する変換データに第1のデバイスによって変換するステップと、CPRIチャネルの送信資源において変換データおよびI/Qデータを第1のデバイスによって運び、その送信資源で運ばれる変換データおよびI/Qデータを第2のデバイスに送信するステップ。第1のPHSネットワークデバイスはPHSサーバデバイスであり、第1のユニットはベースバンドユニット(Baseband Unit、BBU)ある、または、第1のPHSネットワークデバイスはPHSクライアントデバイスであり、第1のユニットはリモート無線ユニット(Remote Radio Unit、RRU)である。
【００３８】
図2を参照すると、本発明の一実施形態によるデータ送信方法は、具体的に、以下のステップを含み得る:
【００３９】
201。第1のデバイスが、第1のイーサネットインターフェースを使用することによって、第1のPHSネットワークデバイスによって送信されたパケットデータを受信する。
【００４０】
第1のPHSネットワークデバイスは、具体的には、PHSサーバデバイスまたはPHSクライアントデバイスである。
【００４１】
本発明の本実施形態が、ダウンリンクデータ送信方法を説明する場合、ステップ201における第1のPHSネットワークデバイスは、具体的には、PHSサーバデバイスを示す。PHSサーバデバイスがパケットデータを生成した後、PHSサーバデバイスは、パケットデータを第1のデバイスに送信し、ここで、パケットデータは、具体的には、ダウンリンクパケットデータを示し、第1のデバイスはイーサネット(Ethernet)インターフェースを提供され、第1のデバイスは、提供されたイーサネットインターフェースを使用することによって、パケットデータを受信することができる。それを次の実施形態における第2のデバイスで提供されるイーサネットインターフェースと区別するために、第1のデバイスにおいて提供されるイーサネットインターフェースは、第1のイーサネットインターフェースとして定義され、第2のデバイスにおいて提供されるイーサネットインターフェースは、第2のイーサネットインターフェースとして定義される。先行技術では、第1のデバイスがPHSサーバデバイスからパケットデータを受信する場合、第1のデバイスは、それをイーサネットネットワークを介してPHSクライアントデバイスに直接送信するが、本発明の本実施形態では、先行技術とは異なり、第1のデバイスがパケットデータを受信した後に、本発明の本実施形態における第1のデバイスは、第1のデバイスと第2のデバイスとの間のCPRIチャネルを使用することによって、そのパケットデータを送信する。具体的な実装プロセスの詳細については、後の実施形態の説明を参照されたい。
【００４２】
本発明の本実施形態がアップリンクデータ送信方法を説明する場合、ステップ201における第1のPHSネットワークデバイスは、具体的には、PHSクライアントデバイスを示す。PHSクライアントデバイスがパケットデータを生成した後、PHSクライアントデバイスは、そのパケットデータを第1のデバイスに送信し、ここで、パケットデータは、具体的には、アップリンクパケットデータを示し、第1のデバイスが、第1のイーサネットインターフェースを使用することによって、そのパケットデータを受信する。先行技術では、第1のデバイスがパケットデータをPHSクライアントデバイスから受信する場合、第1のデバイスは、それをイーサネットネットワークを介してPHSサーバデバイスに直接送信するが、本発明の本実施形態では、先行技術とは異なり、第1のデバイスがパケットデータを受信した後に、本発明の本実施形態における第1のデバイスは、第1のデバイスと第2のデバイスとの間のCPRIチャネルを使用することによって、パケットデータを送信する。具体的な実装プロセスの詳細については、後の実施形態の説明を参照されたい。
【００４３】
202。第1のデバイスが、第1のユニットによって送信されたI/Qデータを第1のCPRIポートを使用することによって受信する。
【００４４】
第1のPHSネットワークデバイスが、具体的には、PHSサーバデバイスであるとき、第1のユニットは、具体的には、BBUであり、第1のPHSネットワークデバイスが、具体的には、PHSクライアントデバイスであるとき、第1のユニットは、具体的には、RRUである。
【００４５】
第1のデバイスがPHSサーバデバイスからパケットデータを受信するとき、それは、本実施形態が第1のデバイスがダウンリンクデータ送信方法を実行することを説明することを示し、第1のデバイスがダウンリンクパケットデータを受信し、第1のデバイスがダウンリンクI/Qデータもまた受信する場合、次いで、ステップ203が実行され得る。図1-aに示すように、第1のデバイスは、それぞれ、PHSサーバデバイスからパケットデータを受信し、BBUからI/Qデータを受信する。
【００４６】
第1のデバイスがPHSクライアントデバイスからパケットデータを受信するとき、それは、本実施形態が、第1のデバイスがアップリンクデータ送信方法を実行することを説明することを示す。言い換えれば、第1のデバイスがアップリンクパケットデータを受信し、第1のデバイスがアップリンクI/Qデータもまた受信する場合、次いで、ステップ203もまた実行される。図1-bに示すように、第1のデバイスは、それぞれ、PHSクライアントデバイスからパケットデータを受信し、RRUからI/Qデータを受信する。
【００４７】
BBUまたはRRUによって送信され、第1のCPRIポートを使用することによって第1のデバイスによって受信されるI/Qデータは、BBUとRRUとの間で送信されるデータを示し、そのI/Qデータはまた、いくつかの特定の適用例でアンテナデータまたはベクトル(vector)と呼ばれ得ることに留意されたい。加えて、前述のステップ201およびステップ202の順序は、それらが実行されるとき、限定されず、すなわち、ステップ201が最初に実行されてもよく、次いでステップ202が実行される、または、ステップ202が最初に実行されてもよく、次いでステップ201が実行される、または、ステップ201およびステップ202が同時に実行されてもよく、これは、本発明の方法の適用シナリオを参照して具体的に設定することができ、本明細書で限定されない。図2では、実装方式の1つが、ステップ201が最初に実行され、次いでステップ202が実行される一例を使用することによって説明されるが、それは、本発明を限定するために使用されるものではない。
【００４８】
203。第1のデバイスが、パケットデータをフォーマットがCPRIプロトコルに準拠する変換データに変換する。
【００４９】
前述の変換データは、変換された、フォーマットがCPRIプロトコルに準拠するパケットデータである。
【００５０】
本発明の本実施形態では、第1のデバイスがパケットデータを受信した後に、第1のデバイスは、CPRIプロトコルに従って、前述のパケットデータのフォーマット変換を実行して変換データを取得する。この場合、変換データは、変換された、フォーマットがCPRIプロトコルに準拠するパケットデータである。パケットデータで第1のデバイスによって実行されるフォーマット変換は、パケットデータへのフィールドの追加を示し、ここで、フィールドは、CPRIプロトコルに準拠するために、カプセル化される。生成された変換データがCPRIプロトコルの要件に準拠することができ、したがって、CPRIチャネルを使用することによって送信することができ、変換データがまたCPRIフォーマットのデータと呼ばれ得るように、そのフォーマット変換が、パケットデータで実行される。加えて、本発明の本実施形態では、CPRIプロトコルに準拠するフォーマットは、具体的に、CPRIプロトコルに準拠するフレームフォーマットと呼ばれることがあり、たとえば、変換データは、そのフォーマットがCPRIプロトコルに準拠するデータである。
【００５１】
本発明のいくつかの実施形態では、第1のデバイスが、ステップ203で、パケットデータを変換データに変換することは、具体的に、以下を含み得る:カプセル化されたCPRIフォーマットフィールドを有するパケットデータが変換データであるように、第1のデバイスが、パケットデータにおいてCPRIフォーマットフィールドをカプセル化し、ここで、CPRIフォーマットフィールドは、以下を含む:ストリーム開始区切り文字(Start-of-Stream Delimiter、SSD)フィールド、ストリーム終了区切り文字(End-of-Stream-Delimiter、ESD)フィールド、およびフレーム間遊休(idle)フィールド。フレームフォーマットの定義のCPRIプロトコルの要件によれば、SSDフィールド、ESDフィールド、および遊休フィールドは、パケットデータに別個に追加することができ、ここで、SSDフィールドは、一般に、10ビット(bit)を占有し、ESDフィールドは、一般に、10ビットを占有し、遊休フィールドは、10ビットを占有する。
【００５２】
204。第1のデバイスが、CPRIチャネルの送信資源で変換データおよびI/Qデータを運び、その送信資源で運ばれる変換データおよびI/Qデータを第2のデバイスに送信する。
【００５３】
本発明の本実施形態では、第1のデバイスがパケットデータを変換データに変換した後、第1のデバイスは、変換データおよびI/QデータをCPRIチャネルに多重化することができ、CPRIデータを取得することができる。本明細書では、CPRIデータは、CPRIチャネルに存在し、第1のデバイスが変換データおよびI/QデータをCPRIチャネルに多重化した後に第2のデバイスに送信され得るデータを示す。第1のデバイスによる変換データおよびI/Qデータの多重化は、CPRIチャネルの送信資源においてI/Qデータおよび変換データを運ぶことを示し、変換データは、CPRIチャネルの送信資源がI/Qデータを運んだ後に残りの遊休資源を占有することによって送信されることができ、それによって、CPRIチャネルがI/Qデータのみを送信するために直接使用されるときに生じる送信資源の無駄を防ぐことができるように、I/Qデータおよび変換データがCPRIチャネルに多重化された後に、その変換データおよびI/Qデータの同時送信が、CPRIチャネルを使用することによって、実行され得る。
【００５４】
本発明の本実施形態では、第1のユニットがI/Qデータを生成した後に、I/QデータはCPRIチャネルに多重化され、CPRIチャネルに遊休資源が存在するように、I/Qデータは、CPRIチャネルの送信資源の一部のみを占有するが、CPRIチャネルのすべての送信資源を占有しない。言い換えれば、I/Qデータを運んだ後に、CPRIチャネルの送信資源は、ほぼ空白のサブフレーム(almost blank subframeとして英語に翻訳される)であるCPRIサブフレームをまだ有する。実際のサービスデータは、現在、これらのCPRIサブフレームで送信されない。I/QデータのみがCPRIチャネルで送信されるとき、これらの遊休資源は、ネットワークの帯域幅をまだ占有し、送信資源の無駄をもたらす。したがって、本発明の本実施形態では、パケットデータが、フォーマットがCPRIプロトコルに準拠する変換データに変換された後、変換データおよびI/Qデータは、ともにCPRIチャネルに多重化され得る、すなわち、CPRIチャネルの送信資源の利用率が改善され、それによって、I/QデータのみがCPRIチャネルで送信されるときに生じる送信資源の無駄を防ぐことができるように、変換データおよびI/Qデータは、CPRIチャネルを使用することによってともに運ばれ得る。
【００５５】
I/QデータがCPRIチャネルに多重化されるとき、残りの遊休資源が必ず存在し、これは、I/Qデータが情報を送信するために使用されるものであるI/Qデータの属性によって判定されることに留意されたい。加えて、本発明の本実施形態では、TDDモードのCPRIチャネルについては、遊休資源は、具体的に、遊休モーメントおよび遊休帯域幅と呼ばれることがあり、FDDモードのCPRIチャネルについては、遊休資源は、具体的に、遊休帯域幅と呼ばれることがある。
【００５６】
本発明の本実施形態では、パケットデータは、第1のPHSネットワークデバイスによって第2のPHSネットワークデバイスに送信されることになるデータであり、I/Qデータは、第1のユニットによって第2のユニットに送信されることになるデータである。第2のデバイスは、第2のPHSネットワークデバイスのためにパケットデータを提供し、第2のユニットのためにI/Qデータを提供するように構成され、ここで、第2のデバイスの第2のイーサネットインターフェースは第2のPHSネットワークデバイスに接続され、第2のデバイスの第2のCPRIポートは第2のユニットに接続される。
【００５７】
具体的には、第1のPHSネットワークデバイスがPHSサーバデバイスであるときに、第2のPHSネットワークデバイスはPHSクライアントデバイスであり、第2のユニットはRRUである、または、第1のPHSネットワークデバイスがPHSクライアントデバイスであるときに、第2のPHSネットワークデバイスはPHSサーバデバイスであり、第2のユニットはBBUである。
【００５８】
本発明の本実施形態がダウンリンクデータ送信方法を説明する場合、第2のデバイスの第2のCPRIポートがそこに接続される第2のユニットは、RRUである。第1のデバイスは、PHSサーバデバイスからパケットデータを受信し、BBUからI/Qデータを受信し、その後に、第1のデバイスは、そのパケットデータを変換データに変換し、第1のデバイスは、変換データおよびI/QデータをCPRIチャネルに多重化してCPRIデータを取得し、第2のデバイスがRRUに接続されるように、第2のデバイスは、CPRIチャネルを使用することによってCPRIデータを受信し、逆多重化および復元を実行する。
【００５９】
本発明の本実施形態が、アップリンクデータ送信方法を説明する場合、第2のデバイスの第2のCPRIポートがそこに接続される第2のユニットは、BBUである。第1のデバイスは、PHSクライアントデバイスからパケットデータを受信し、RRUからI/Qデータを受信し、その後に、第1のデバイスは、そのパケットデータを変換データに変換し、第1のデバイスは、変換データおよびI/QデータをCPRIチャネルに多重化してCPRIデータを取得し、第2のデバイスがBBUに接続されるように、第2のデバイスは、CPRIチャネルを使用することによってCPRIデータを受信し、逆多重化および復元を実行する。
【００６０】
具体的には、本発明のいくつかの実施形態では、CPRIチャネルの両端は、別個に、第1のデバイスの第3のCPRIポートおよび第2のデバイスの第4のCPRIポートであり、第1のデバイスが、ステップ204において、送信資源で運ばれる変換データおよびI/Qデータを第2のデバイスに送信することは、以下を含む:送信資源で運ばれる変換データおよびI/Qデータを第1のデバイスの第3のCPRIポートを使用することによって第2のデバイスの第4のCPRIポートに送信するステップ。
【００６１】
本発明のいくつかの実施形態では、第1のデバイスが、ステップ204で、CPRIチャネルの送信資源において変換データおよびI/Qデータを運ぶことは、以下のステップを含み得る:
【００６２】
A1。第1のデバイスが、CPRIチャネルの送信資源においてI/Qデータを運ぶ。
【００６３】
A2。第1のデバイスが、CPRIチャネルの送信資源において、I/Qデータによって占有されない遊休資源を獲得する。
【００６４】
A3。第1のデバイスが、その遊休資源において変換データを運ぶ。
【００６５】
第1のデバイスは、先ず、CPRIチャネルの送信資源においてI/Qデータを運び、そのI/Qデータは、CPRIチャネルの送信資源の一部のみを占有するが、CPRIチャネルのすべての送信資源を占有しない。第1のデバイスは、CPRIチャネルの送信資源において、I/Qデータによって占有されない遊休資源を獲得することができ、そのI/Qデータによって占有されない、CPRIチャネルのすべての送信資源のうちの、遊休資源は、変換データを送信するために使用することができる。前述の変換データは、CPRIプロトコルに従ってパケットデータでフォーマット変換を実行することによって取得されるデータであるので、その変換データは、I/QデータのみがCPRIチャネルの送信資源において送信されるときに生じる送信資源の無駄を防ぐために、CPRIチャネルを使用することによって送信され得る。
【００６６】
具体的には、第1のデバイスがTDDモードで動作するとき、第1のデバイスが、ステップA2で、CPRIチャネルの送信資源において、I/Qデータによって占有されない遊休資源を獲得することは、具体的に、以下でもよい:
第1のデバイスが、I/Qデータによって占有されない遊休モーメントを時間資源におけるCPRIチャネルの送信モーメントにおいて獲得し、ここで、遊休モーメントは、そのI/Qデータによって占有されない、時間資源におけるCPRIチャネルの、時間である。
【００６７】
言い換えれば、第1のデバイスがTDDモードで動作するとき、BBUおよびRRUの両方が、TDDモードで動作する。TDDモードでは、I/Qデータについて、ダウンリンクまたはアップリンクデータのみが、時間資源において送信モーメントで転送され、したがって、I/QデータがCPRIチャネルの送信資源において運ばれるとき、多数の遊休モーメントがCPRIチャネルの送信資源に存在し、サービスデータはこれらの遊休モーメントで転送されない。したがって、本発明の本実施形態では、ステップA3は、具体的に、以下でもよい:第1のデバイスが、遊休モーメントにおいて変換データを運ぶ。以下の表1は、本発明の本実施形態において提供されるアップリンクおよびダウンリンクCPRIサブフレームの構成パラメータの表である。
【００６８】
【表１】
0006338074.tif 000002
【００６９】
以上のように、第1のデバイスがTDDモードで動作するとき、サブフレーム識別子が1であるときのサブフレーム構成方式から分かるように、CPRIチャネルのダウンリンクデータ送信方法について、表1の「D」は、ダウンリンクCPRIのみがI/Qデータを運ぶことを示し、「S」は、ダウンリンクCPRIおよびアップリンクCPRIの両方がI/Qデータを運ぶことを示し、「U」は、アップリンクCPRIのみがI/Qデータを運ぶことを示す。番号2、3、7、および8のサブフレームにおいて、I/Qデータは運ばれず、したがって、番号2、3、7、および8のサブフレームに対応する送信モーメントは、遊休モーメントであり、表1における「NULL」は、サービスデータが送信されないことを示すために使用され、I/Qデータは、番号0、1、4、5、6、および9のサブフレームにおいてのみ運ばれる。CPRIチャネルのアップリンクデータ送信方法について、番号0、4、5、および9のサブフレームにおいて、I/Qデータは運ばれず、したがって、番号0、4、5、および9のサブフレームに対応する送信モーメントは、遊休モーメントであり、表1における「NULL」は、サービスデータが送信されないことを示すために使用され、I/Qデータは、番号1、2、3、6、7、および8のサブフレームでのみ運ばれる。したがって、CPRIチャネルがその中に置かれたデバイスがTDDモードで動作するとき、いくつかの時間スロットは、TDDモードにおいてCPRIチャネルで遊休であり、これは、CPRIチャネルの低い送信帯域幅利用率をもたらす。
【００７０】
本発明の本実施形態で提供されるデータ送信方法に基づいて、変換データが本発明の本実施形態に従ってCPRIチャネルの遊休資源で運ばれる実装方式の表である、表2を参照する。
【００７１】
【表２】
0006338074.tif 000003
【００７２】
前述の表2で、「PHS」は、変換データを示すために使用される。アップリンクおよびダウンリンクデータ送信プロセスにおいて、変換データは、CPRIチャネルの遊休資源で運ばれる。表1を表2と比較することによって分かるように、遊休資源を示す表1の「NULL」は、変換データ(すなわち、表2に示されるPHS)を運ぶために使用される。以上のように、変換データは、CPRIチャネルで遊休資源を使用することによって送信されることができ、それによって、CPRIチャネルの送信帯域幅利用率を改善する。
【００７３】
加えて、本発明のいくつかの実施形態では、第1のデバイスがFDDモードで動作するとき、第1のデバイスがステップA2でCPRIチャネルの送信資源においてI/Qデータによって占有されない遊休資源を獲得することは、具体的に、以下でもよい:
第1のデバイスが、I/Qデータによって占有されない遊休周波数を周波数資源内のCPRIチャネルの送信帯域幅において獲得し、ここで、遊休周波数は、I/Qデータによって占有されない、周波数資源におけるCPRIチャネルの、周波数である。
【００７４】
言い換えれば、第1のデバイスがFDDモードで動作するとき、BBUおよびRRUの両方がFDDモードで動作する。FDDモードにおいて、I/Qデータは、周波数資源の送信帯域幅において送信資源の一部のみを占有し、したがって、I/QデータがCPRIチャネルの送信資源において運ばれるとき、多数の遊休周波数がCPRIチャネルの送信資源内に存在し、サービスデータは、これらの遊休周波数で転送されない。したがって、本発明の本実施形態では、ステップA3は、具体的に、以下でもよい:第1のデバイスが、遊休周波数において変換データを運ぶ。図3-aは、本発明の一実施形態によるCPRIチャネルの送信資源がI/Qデータを運ぶ一実装方式の概略図である。本発明の本実施形態では、I/QデータがCPRIチャネルの送信資源において運ばれる。
【００７５】
図3-aでは、3*20M 2T2R 12bit I/Qデータが9.8G CPRIチャネルにマップされる一例が示され、ここで、3*20Mはセル帯域幅であり、12bitはI/Qデータのbit幅であり、9.8GはCPRIチャネルのライン速度であり、bit/sが単位として使用され、2T(Tは英語のTransfer(転送)の略語である)は、2つの送信アンテナを示し、2R(RはReceive(受信)の略語である)は2つの受信アンテナを示し、時間スロット0および時間スロット1はともに、BYTE0、BYTE1、BYTE3、…、およびBYTE15の制御データを運び、他の時間スロット(たとえば、時間スロット2、…、および時間スロット31)はI/Qデータを運ぶことができる。第1のデバイスが2つの送信アンテナを有し、第2のデバイスが2つの受信アンテナを有する、一例では、I/Qデータによって占有されるCPRIチャネルの送信資源は、図3-aに示す0、1、2、…、および47のラベルを付されたアンテナキャリア(Antenna-carrier、AxC)I/Qペアであり、すなわち、I/Qデータは、CPRIチャネルの送信資源の一部のみを占有するが、CPRIチャネルのすべての送信資源を占有せず、遊休周波数資源がまだ存在する。図3-aに示すように、48から79のラベルを付されたAxC I/Qペアは、I/Qデータによって占有されない、NULLの印を付けられた、遊休周波数資源であり、図3-aにおいて、破線は、I/QデータをNULLと分けるために使用される。遊休周波数資源は、CPRIチャネルの送信資源全体の40%を占める。したがって、第1のデバイスがFDDモードで動作するとき、CPRIチャネルの送信資源全体においてI/Qデータによって占有される周波数資源は、帯域幅全体を占有せず、残りの遊休資源は使われていない。いくらかの帯域幅が、FDDモードにおいてCPRIチャネルで遊休であり、これはまた、CPRIチャネルの低い送信帯域幅利用率をもたらす。
【００７６】
本発明の本実施形態で提供されるデータ送信方法に基づいて、変換データが本発明の本実施形態に従ってCPRIチャネルの遊休資源で運ばれる一実装方式の概略図である図3-bを参照する。
【００７７】
図3-bでは、アップリンクおよびダウンリンクデータ送信プロセスにおいて、変換データは、CPRIチャネルの遊休資源で運ばれ、すなわち、変換データは、CPRIチャネルの48から79のラベルを付されたAxC I/Qペアを占有し得る。図3-aを図3-bと比較することによって分かるように、変換データは、遊休資源を示す図3-aの「NULL」で運ばれ、すなわち、変換データは、CPRIチャネルの遊休資源で運ばれ得る。以上のように、変換データは、CPRIチャネルの遊休資源を使用することによって送信されることができ、それによって、CPRIチャネルの送信帯域幅利用率を改善する。
【００７８】
前述の図3-aの例の説明では、破線は、I/QデータをNULLと分けるために使用され、前述の図3-bの例の説明では、破線は、I/Qデータをアンテナデータと分けるために使用されることに留意されたい。I/QデータがCPRIチャネルの0、1、2、…、および47のラベルを付されたAxC I/Qペアを占有する前述の例を使用することによって、説明が行われる。しかし、実際の適用例でI/Qデータによって占有されるCPRIチャネルの送信資源は、必ずしも連続的に0、1、2、…、および47のラベルを付されたAxC I/Qペアではなく、占有されるCPRIチャネルの送信資源は別個でもよい。たとえば、I/Qデータは、0のラベルを付されたAxC I/Qペア、5のラベルを付されたAxC I/Qペア、37のラベルを付されたAxC I/Qペアなどを占有し得る。この場合、I/Qデータはまた、CPRIチャネルの送信資源の一部のみを占有するが、CPRIチャネルのすべての送信資源を占有せず、遊休周波数資源はまだ存在する。前述の例によれば、変換データはさらに、CPRIチャネルの1、2、3、および4のラベルを付されたAxC I/Qペアを占有することができ、CPRIチャネルの送信資源内のI/Qデータによって占有されない遊休資源は、CPRIチャネルの資源活用を改善するために、変換データを送信するために使用することができる。
【００７９】
本発明のいくつかの他の実施形態では、第1のデバイスが、ステップ204で、CPRIチャネルの送信資源において変換データおよびI/Qデータを運ぶことは、以下のステップを含み得る:
【００８０】
B1。第1のデバイスが、CPRIチャネルの送信資源において、I/Qデータを運ぶために使用される第1の送信資源および変換データを運ぶために使用される第2の送信資源を判定する。
【００８１】
B2。第1のデバイスが、第1の送信資源でI/Qデータを運び、第2の送信資源で変換データを運ぶ。
【００８２】
第1の送信資源および第2の送信資源が判定され、次いで、第1のデバイスが、第1の送信資源でI/Qデータを運び、第2の送信資源で変換データを運び、それによって、CPRIチャネルの送信資源を使用することによってパケットデータおよびI/Qデータの同時送信を実装することができるように、ステップB1で、第1のデバイスは、CPRIチャネルの送信資源を事前に割り当てることができ、そのCPRIチャネルの送信資源は、2つの部分の送信資源に分割されることに留意されたい。説明は以下のように行われる:図3-aがさらに一例として使用され、ここで、第1のデバイスは、CPRIチャネルの送信資源を2つの部分の送信資源に分割し、0、1、2、…、および47のラベルを付されたAxC I/Qペアを第1の送信資源と判定し、48、49、…、および79のラベルを付されたAxC I/Qペアを第2の送信資源であると判定する。したがって、変換データおよびI/Qデータが送信されるとき、I/Qデータは、第1の送信資源で運ばれることができ、変換データは、第2の送信資源で運ばれることができ、それによって、CPRIチャネルの送信資源を使用することによってパケットデータおよびI/Qデータの同時送信を実装する。
【００８３】
前述の実施形態における本発明の説明から分かるように、第1のデバイスによって処理された後に、PHSネットワークデバイスからのパケットデータおよびBBU(またはRRU)からのI/Qデータは、CPRIチャネルの送信資源で運ばれ、第2のデバイスに送信することができ、もう1つのPHSネットワークデバイスの第2のデバイスおよびRRU(またはBBU)によってそれぞれ提供することができる。したがって、CPRIチャネルの送信資源で運ばれるデータの量は増加し、資源活用は改善され、それによって、CPRIポートの低い送信帯域幅利用率の問題を解決する。
【００８４】
本発明におけるデータ送信方法のもう1つの実施形態は、第2のデバイスに適用され得る。本方法は、以下を含み得る: CPRIチャネルの送信資源で運ばれる変換データおよびI/QデータをCPRIチャネルを使用することによって第2のデバイスによって受信するステップであって、その変換データのフォーマットおよびそのI/Qデータのフォーマットが、両方とも、CPRIプロトコルに準拠する、ステップと、変換データを構文解析することによって第2のデバイスによってパケットデータを取得し、第2のイーサネットインターフェースを使用することによって第2のPHSネットワークデバイスにパケットデータを送信するステップと、第2のCPRIポートを使用することによってI/Qデータを第2のユニットに第2のデバイスによって送信するステップ、ここで、第2のPHSネットワークデバイスはPHSサーバデバイスであり、第2のユニットは具体的にBBUである、または、第2のPHSネットワークデバイスはPHSクライアントデバイスであり、第2のユニットはRRUである。
【００８５】
図4を参照すると、本発明のもう1つの実施形態によるデータ送信方法は、具体的に、以下のステップを含み得る:
【００８６】
401。第2のデバイスが、CPRIチャネルの送信資源で運ばれる変換データおよびI/QデータをCPRIチャネルを使用することによって受信する。
【００８７】
その変換データのフォーマットおよびそのI/Qデータのフォーマットは、両方とも、CPRIプロトコルに準拠し、その変換データおよびI/Qデータは、第1のデバイスによって、CPRIチャネルを使用することによって第2のデバイスに送信される。
【００８８】
本発明の本実施形態では、CPRIポートが、第1のデバイスおよび第2のデバイスの各々において提供され、第1のデバイスおよび第2のデバイスは、CPRIチャネルによって接続され、CPRIチャネルは、具体的に、ファイバまたはイーサネットケーブル接続を用いて実装され得る。具体的には、CPRIチャネルの両端は、別個に、第1のデバイスの第3のCPRIポートおよび第2のデバイスの第4のCPRIポートであり、第2のデバイスが、ステップ401において、CPRIチャネルの送信資源で運ばれる変換データおよびI/Qデータを受信することは、以下を含み得る:第2のデバイスが、第1のデバイスの第3のCPRIポートを使用することによって第1のデバイスによって送信される変換データおよびI/Qデータを第2のデバイスの第4のCPRIポートを使用することによって受信し、ここで、変換データおよびI/Qデータは、CPRIチャネルの送信資源で運ばれる。
【００８９】
本発明の本実施形態がダウンリンクデータ送信方法を説明する場合、図1-aを参照すると、第2のデバイスはPHSサーバデバイスおよびRRUに別個に接続され、本発明の本実施形態がアップリンクデータ送信方法を説明する場合、図1-bを参照すると、第2のデバイスはPHSクライアントデバイスおよびBBUに別個に接続される。
【００９０】
本発明のいくつかの実施形態では、第2のデバイスが、ステップ401において、CPRIチャネルの送信資源で運ばれる変換データおよびI/Qデータを受信することは、具体的に、以下のステップを含み得る:
【００９１】
C1。第2のデバイスが、I/Qデータを運ぶために使用される第1の送信資源および変換データを運ぶために使用される第2の送信資源を判定する。
【００９２】
C2。第2のデバイスが、第1の送信資源からI/Qデータを読み取り、第2の送信資源から変換データを読み取る。
【００９３】
ステップC1では、第2のデバイスがCPRIチャネルの送信資源を分割する方式は、第1のデバイスがCPRIチャネルの送信資源を分割する方式と同じであり、次いで、第1の送信資源および第2の送信資源が判定される。第1のデバイスおよび第2のデバイスが、送信資源を分割する同方式を使用するときにのみ、第2のデバイスは、判定された第1の送信資源および第2の送信資源に基づいて、第1の送信資源および第2の送信資源で別個に運ばれるデータを受信することができ、すなわち、第2のデバイスは、第1の送信資源からI/Qデータを読み取り、第2の送信資源から変換データを読み取ることができる。
【００９４】
ステップC1において、第2のデバイスによって第1の送信資源および第2の送信資源を判定する順番は限定されず、同様に、ステップC2において、第2のデバイスによってI/Qデータおよび変換データを読み取る順番も限定されないことに留意されたい。
【００９５】
本発明のいくつかの実施形態では、第2のデバイスが、ステップ401において、CPRIチャネルの送信資源で運ばれる変換データおよびI/Qデータを受信することは、具体的に、以下のステップを含み得る:
【００９６】
D1。第2のデバイスが、第1の送信資源を判定し、第1の送信資源からI/Qデータを読み取る。
【００９７】
D2。第2のデバイスが、CPRIチャネルの送信資源のうちの第1の送信資源を除く送信資源を判定する。
【００９８】
D3。第2のデバイスが、CPRIチャネルの送信資源のうちの第1の送信資源を除く送信資源を第2の送信資源であると判定し、第2の送信資源から変換データを読み取る。
【００９９】
第1に、ステップD1で、I/Qデータが、I/Qデータのプリアンブルフィールドに従って、CPRIチャネルの第1の送信資源から読み取られ、ステップD2で、CPRIチャネルの送信資源のうちの第1の送信資源を除く送信資源が判定される。第1の送信資源を除く送信資源は、前述の実施形態で説明された遊休資源であり、具体的には、前述の表1に記載された遊休モーメント、および、図3-aに記載された遊休周波数を示し得る。最後に、ステップD3で、CPRIチャネルの送信資源のうちの第1の送信資源を除く送信資源が第2の送信資源であると判定され、変換データが第2の送信資源から読み取られる。
【０１００】
ステップD1でのI/Qデータの読取りおよびステップD3での第2の送信資源の判定の順番は限定されず、すなわち、I/Qデータおよび変換データは、第2の送信資源が判定された後に、ともに読み取られてもよく、または、第2の送信資源は、I/Qデータが読み取られた後に判定されてもよく、本明細書では限定されないことに留意されたい。
【０１０１】
具体的には、第2のデバイスがTDDモードで動作するとき、第2のデバイスが、ステップD2で、CPRIチャネルの送信資源のうちの第1の送信資源を除く送信資源を判定することは、以下を含む:第2のデバイスが、時間資源におけるCPRIチャネルの送信モーメントにおいてI/Qデータに占有されたモーメントを除く占有されたモーメントを獲得する。
【０１０２】
本発明のいくつかの他の実施形態では、第2のデバイスがFDDモードで動作するとき、第2のデバイスが、ステップD2で、CPRIチャネルの送信資源のうちの第1の送信資源を除く送信資源を判定することは、以下を含む:第2のデバイスが、周波数資源においてCPRIチャネルの送信帯域幅においてI/Qデータによって占有された周波数を除く占有された周波数を獲得する。
【０１０３】
具体的には、パケットデータは、第1のPHSネットワークデバイスによって第2のPHSネットワークデバイスに送信されることになるデータであり、I/Qデータは、第1のユニットによって第2のユニットに送信されることになるデータであり、
第1のデバイスは、第1のPHSネットワークデバイスからパケットデータを受信し、第1のユニットからI/Qデータを受信し、そのパケットデータを変換データに変換した後に、CPRIチャネルを使用することによって第2のデバイスにその変換データおよびI/Qデータを送信するように構成され、ここで、
第1のデバイスの第1のイーサネットインターフェースは第1のPHSネットワークデバイスに接続され、第1のデバイスの第1のCPRIポートは第1のユニットに接続される。
【０１０４】
具体的には、第2のPHSネットワークデバイスがPHSサーバデバイスであるとき、第1のPHSネットワークデバイスはPHSクライアントデバイスであり、第1のユニットはRRUである、または、第2のPHSネットワークデバイスがPHSクライアントデバイスであるとき、第1のPHSネットワークデバイスはPHSサーバデバイスであり、第1のユニットはBBUである。
【０１０５】
402。第2のデバイスが、変換データを構文解析することによってパケットデータを取得し、第2のイーサネットインターフェースを使用することによってそのパケットデータを第2のPHSネットワークデバイスに送信する。
【０１０６】
本発明の本実施形態では、第2のデバイスが、CPRIチャネルを使用することによって、変換データを受信した後、第2のデバイスは、その変換データを構文解析して、パケットデータを取得する。ステップ402で、変換データを構文解析することによってパケットデータを取得するステップは、変換データを復元する方式で実行される。前述の実施形態では、パケットデータがCPRIプロトコルに準拠するように、CPRIチャネルが使用され、第1のデバイスがパケットデータの変換を実行する。したがって、ステップ402で、変換データは、第2のPHSネットワークデバイスによって識別されるために、復元される必要がある。第2のデバイスは、CPRIプロトコルに従って変換データのフォーマットを復元して、パケットデータを取得する。第2のデバイスによる変換データのフォーマットの復元は、変換データにおいてCPRIプロトコルに準拠するフィールドのカプセル除去を示す。変換データは復元され、その結果、CPRIプロトコルのフォーマット要件がカプセル除去された生成されたパケットデータは、第2のPHSネットワークデバイスによって識別され得る。
【０１０７】
具体的には、第2のデバイスが、ステップ402で、変換データを構文解析することによってパケットデータを取得することは、以下のステップを含み得る:
そのCPRIフォーマットフィールドがカプセル除去された変換データがパケットデータであるように、第2のデバイスが、変換データにおいてカプセル化されたCPRIフォーマットフィールドをカプセル除去し、ここで、CPRIフォーマットフィールドは、以下を含む:SSDフィールド、ESDフィールド、およびフレーム間遊休フィールド。
【０１０８】
第2のデバイスは、前述の実施形態で第1のデバイスによって使用された前述のカプセル化方法に対応するカプセル除去方法を使用することによって、変換データをパケットデータに復元することができる。
【０１０９】
本発明の本実施形態がダウンリンクデータ送信方法を説明する場合、図1-aを参照すると、第2のデバイスは、PHSサーバデバイスおよびRRUに別個に接続され、その結果として、第2のデバイスは、第2のイーサネットインターフェースを使用することによってパケットデータをPHSサーバデバイスに送信し、本発明の本実施形態がアップリンクデータ送信方法を説明する場合、図1-bを参照すると、第2のデバイスは、PHSクライアントデバイスおよびBBUに別個に接続され、その結果として、第2のデバイスは、第2のイーサネットインターフェースを使用することによってパケットデータをPHSクライアントデバイスに送信する。
【０１１０】
403。第2のデバイスが、第2のCPRIポートを使用することによってI/Qデータを第2のユニットに送信する。
【０１１１】
第2のPHSネットワークデバイスはPHSサーバデバイスであり、第2のユニットは具体的にBBUである、または、第2のPHSネットワークデバイスはPHSクライアントデバイスであり、第2のユニットはRRUである。
【０１１２】
本発明の本実施形態がダウンリンクデータ送信方法を説明する場合、図1-aを参照すると、第2のデバイスは、PHSサーバデバイスおよびRRUに別個に接続され、その結果として、第2のデバイスは、第2のCPRIポートを使用することによってI/QデータをRRUに送信し、本発明の本実施形態がアップリンクデータ送信方法を説明する場合、図1-bを参照すると、第2のデバイスは、PHSクライアントデバイスおよびBBUに別個に接続され、その結果として、第2のデバイスは、第2のCPRIポートを使用することによってI/QデータをBBUに送信する。
【０１１３】
本発明の本実施形態では、ステップ402およびステップ403は、タイミングまたは互いの間の論理的関係を有さず、すなわち、ステップ402が最初に実行されてもよく、次いでステップ403が実行され、図4は、この実装方式のみを示し、または、ステップ403が最初に実行されてもよく、次いでステップ402が実行される、または、ステップ402およびステップ403が同時に実行されてもよく、これは、本発明の方法の適用シナリオに関連して具体的にセットすることができ、本明細書で限定されないことに留意されたい。
【０１１４】
前述の実施形態における本発明の説明から分かるように、第1のデバイスによって処理された後、PHSネットワークデバイスからのパケットデータおよびBBU(またはRRU)からのI/Qデータは、CPRIチャネルの送信資源で運び、第2のデバイスに送信することができ、もう1つのPHSネットワークデバイスの第2のデバイスおよびRRU(またはBBU)によってそれぞれ提供することができる。したがって、CPRIチャネルの送信資源で運ばれるデータの量は増加し、資源活用は改善され、それによって、CPRIポートの低い送信帯域幅利用率の問題を解決する。
【０１１５】
本発明の実施形態の前述の解決法のよりよい理解および実装を助けるために、特定の説明が、対応する適用シナリオを一例として使用することによって、以下に提供される。
【０１１６】
第1のデバイスおよび第2のデバイスがFDDモードで動作すると仮定すると、ダウンリンクデータ送信プロセスが、一例として使用される。図1-aを参照すると、第1のデバイスは、第1のイーサネットインターフェースを使用することによってPHSサーバデバイスに接続され、第1のデバイスは、第1のCPRIポートを使用することによってBBUに接続され、第1のデバイスおよび第2のデバイスは、CPRIチャネルによって接続され、第2のデバイスは、第2のイーサネットインターフェースを使用することによってPHSクライアントデバイスに接続され、第2のデバイスは、第2のCPRIポートを使用することによってRRUに接続される。
【０１１７】
最初に、第1のデバイスが説明され、第1のデバイスが以下のステップを実行する:
【０１１８】
S01。第1のデバイスが、PHSサーバデバイスによって送信されたパケットデータを第1のイーサネットインターフェースを使用することによって受信する。
【０１１９】
S02。第1のデバイスが、BBUによって送信されたI/Qデータを第1のCPRIポートを使用することによって受信する。
【０１２０】
S03。第1のデバイスが、パケットデータを変換データに変換する。
【０１２１】
図5-aは、変換データおよびI/Qデータが本発明の一実施形態に従ってCPRIチャネルの送信資源で運ばれる一実装方式の概略図であり、ここで、パケットデータは、イーサネットフレームペイロード全体として変換される。第1のデバイスが、別個に、SSDフィールド、ESDフィールド、および遊休フィールドをパケットデータに追加し、その結果として、パケットデータは、CPRIプロトコルに準拠する変換データに変換され得る。加えて、パケットデータのフレーム構造特徴が、図5-aに示される。パケットデータは、7オクテット(octet)を有するプリアンブルを含み、ここで、プリアンブルの値は10101010であり、フレーム開始区切り文字は1 octetを有し、ここで、フレーム開始区切り文字の値は10101011であり、媒体アクセス制御(Media Access Control、MAC)行先アドレスは6 octetを有し、MACソースアドレスは6 octetを有し、イーサネットタイプまたは長さは2 octetを有し、ロードは46から1500 octetを有し、冗長検査は4 octetを有し、フレーム間スペーシングは12 octetを有する。ロードは、パケットデータで運ばれるデータ情報である。
【０１２２】
S04。第1のデバイスが、CPRIチャネルの送信資源で変換データおよびI/Qデータを運び、その送信資源で運ばれる変換データおよびI/Qデータを第2のデバイスに送信する。
【０１２３】
図5-aを参照すると、3*20M 2T2R 12bit I/Qデータが9.8G CPRIチャネルにマップされる一例では、I/Qデータ(アンテナデータとも呼ばれることがある)および変換データは、CPRIチャネルの送信資源で運ばれる。
【０１２４】
続いて、第2のデバイスが説明され、第2のデバイスは、以下の方法ステップを実行する:
【０１２５】
S05。第2のデバイスが、CPRIチャネルの送信資源で運ばれるおよび第1のデバイスによって送信される変換データおよびI/QデータをCPRIチャネルを使用することによって受信する。
【０１２６】
図5-bは、CPRIチャネルの送信資源によって送信されるデータが本発明の一実施形態に従ってI/Qデータおよび変換データに逆多重化される一実装方式の概略図であり、3*20M 2T2R 12bit I/Qデータが9.8G CPRIチャネルにマップされる一例では、第2のデバイスが、I/Qデータ(アンテナデータとも呼ばれる)および変換データを受信する。図5-bは、CPRIチャネルの送信資源によって送信されるデータが逆多重化される実装方式のプロセスの概略図であり、図5-bのすべての詳細を説明するために、図3-a、図3-b、および図5-aの前述の概略的説明を参照することができ、図3-a、図3-b、および図5-aは、図5-bの拡大部を示すことに留意されたい。
【０１２７】
S07。第2のデバイスが、変換データを構文解析することによってパケットデータを取得し、第2のイーサネットインターフェースを使用することによってパケットデータを第2のPHSネットワークデバイスに送信する。
【０１２８】
S08。第2のデバイスが、第2のCPRIポートを使用することによってI/QデータをRRUに送信する。
【０１２９】
前述の実施形態の説明から分かるように、同時送信がCPRIチャネルを使用することによって実行されるように、第1のデバイスは、パケットデータをフォーマットがCPRIプロトコルに準拠する変換データに変換し、その変換データおよびI/QデータをCPRIチャネルの送信資源で運び、その送信資源で運ばれる変換データおよびI/Qデータを第2のデバイスに送信することができる。したがって、BBUまたはRRUによって送信されるI/Qデータは、CPRIチャネルの送信資源の一部のみを占有する。CPRIチャネルの送信資源がBBUとRRUとの間でI/Qデータを運んだ後に、遊休資源がまだ存在することが可能であり、これらの遊休資源は、第1のPHSネットワークデバイスによって送信されたパケットデータを送信するために使用することができ、これは、I/QデータがCPRIチャネルで送信されるときにのみ生じる資源の無駄を防ぎ、BBUとRRUとの間でI/Qデータを送信するために使用されるCPRIチャネルの送信帯域幅利用率を大きく改善することができる。さらに、第1のPHSネットワークデバイスによって送信されるパケットデータは、送信するためにCPRIチャネルに多重化することができ、これは、パケットデータを送信するために使用されるネットワーク資源を節約することができる。
【０１３０】
簡潔な説明のために、前述の方法の実施形態は、一連の動作として表されることに留意されたい。しかし、本発明によれば、いくつかのステップは他の順序でまたは同時に実行され得るので、本発明は記載された順序の動作に限定されないことが、当業者には理解されよう。加えて、本明細書に記載のすべての実施形態は例示的実施形態に属し、関連する動作およびモジュールは本発明に必ずしも必須ではないこともまた、当業者には理解されよう。
【０１３１】
本発明の実施形態の前述の解決法の実装をよりよく助けるために、前述の解決法を実装するように構成された関連装置がさらに、以下に提供される。
【０１３２】
図6を参照すると、本発明の一実施形態は、データ転送デバイス600を提供する。実行することができるステップおよび/または実装されたデータ転送デバイスでもよい機能について、前述の実施形態における第1のデバイスに関する説明が参照され得る。たとえば、データ転送デバイス600は、送受信機601およびプロセッサ602を含み、データ転送デバイス600は、CPRIチャネルを使用することによって第2のデバイスに接続され、送受信機601は、第1のイーサネットインターフェースを使用することによって第1のパケット処理交換PHSネットワークデバイスに接続され、送受信機601は、第1のCPRIポートを使用することによって第1のユニットに接続され、ここで、
送受信機601は、第1のPHSネットワークデバイスによって送信されたパケットデータを第1のイーサネットインターフェースを使用することによって受信し、第1のユニットによって送信された同相/直角位相I/Qデータを第1のCPRIポートを使用することによって受信するように構成され、ここで、I/Qデータのフォーマットは、CPRIプロトコルに準拠する、
プロセッサ602は、パケットデータをフォーマットがCPRIプロトコルに準拠する変換データに変換するように構成され、
プロセッサ602はさらに、CPRIチャネルの送信資源において変換データおよびI/Qデータを運び、その送信資源で運ばれる変換データおよびI/Qデータを送受信機を使用することによって第2のデバイスに送信するように構成され、ここで、
第1のPHSネットワークデバイスはPHSサーバデバイスであり、第1のユニットはベースバンドユニットBBUである、または、第1のPHSネットワークデバイスはPHSクライアントデバイスであり、第1のユニットはリモート無線ユニットRRUである。
【０１３３】
本発明のいくつかの実施形態では、パケットデータは、第1のPHSネットワークデバイスによって第2のPHSネットワークデバイスに送信されることになるデータであり、I/Qデータは、第1のユニットによって第2のユニットに送信されることになるデータであり、
第2のデバイスは、第2のPHSネットワークデバイスのためにパケットデータを提供し、第2のユニットのためにI/Qデータを提供するように構成され、ここで、第2のデバイスの第2のイーサネットインターフェースは、第2のPHSネットワークデバイスに接続され、第2のデバイスの第2のCPRIポートは、第2のユニットに接続される。
【０１３４】
本発明のいくつかの実施形態では、第1のPHSネットワークデバイスがPHSサーバデバイスであるとき、第2のPHSネットワークデバイスはPHSクライアントデバイスであり、第2のユニットはRRUである、または、
第1のPHSネットワークデバイスがPHSクライアントデバイスであるとき、第2のPHSネットワークデバイスはPHSサーバデバイスであり、第2のユニットはBBUである。
【０１３５】
本発明のいくつかの実施形態では、プロセッサ602は、具体的に、以下を行うように構成される:CPRIチャネルの送信資源においてI/Qデータを運び、I/Qデータによって占有されない遊休資源をCPRIチャネルの送信資源において獲得し、その遊休資源で変換データを運ぶ。
【０１３６】
本発明のいくつかの実施形態では、プロセッサ602は、具体的に、以下を行うように構成される:I/Qデータを運ぶために使用される第1の送信資源および変換データを運ぶために使用される第2の送信資源をCPRIチャネルの送信資源において判定し、第1の送信資源でI/Qデータを運び、第2の送信資源で変換データを運ぶ。
【０１３７】
本発明のいくつかの実施形態では、データ転送デバイス600はさらに、第3のCPRIポートを含み、CPRIチャネルの両端は、別個に、データ転送デバイスの第3のCPRIポートおよび第2のデバイスの第4のCPRIポートであり、
送受信機601は、具体的に、データ転送デバイスの第3のCPRIポートを使用することによって、送信資源で運ばれる変換データおよびI/Qデータを第2のデバイスの第4のCPRIポートに送信するように構成される。
【０１３８】
前述の実施形態における本発明の説明から分かるように、第1のデバイスによって処理された後に、PHSネットワークデバイスからのパケットデータおよびBBU(またはRRU)からのI/Qデータは、CPRIチャネルの送信資源で運ばれ、第2のデバイスに送信することができ、もう1つのPHSネットワークデバイスの第2のデバイスおよびRRU(またはBBU)によってそれぞれ提供することができる。したがって、CPRIチャネルの送信資源で運ばれるデータの量は増加し、資源活用は改善され、それによって、CPRIポートの低い送信帯域幅利用率の問題を解決する。
【０１３９】
図7を参照すると、本発明の一実施形態は、データ転送デバイス700を提供する。実行することができるステップおよび/または実装されたデータ転送デバイスでもよい機能について、前述の実施形態における第2のデバイスに関する説明が参照され得る。たとえば、データ転送デバイス700は、送受信機701およびプロセッサ702を含み、データ転送デバイス700は、CPRIチャネルを使用することによって第1のデバイスに接続され、送受信機701は、第2のイーサネットインターフェースを使用することによって第2のパケット処理交換PHSネットワークデバイスに接続され、送受信機701は、第2のCPRIポートを使用することによって第2のユニットに接続され、ここで、
送受信機701は、共通公衆無線インターフェースCPRIチャネルの送信資源で運ばれる変換データおよびI/Qデータを第1のデバイスから受信するように構成され、ここで、その変換データのフォーマットおよびそのI/Qデータのフォーマットは、両方とも、CPRIプロトコルに準拠し、
プロセッサ702は、変換データを構文解析することによってパケットデータを取得するように構成され、
送受信機701はさらに、そのパケットデータを第2のイーサネットインターフェースを使用することによって第2のパケット処理交換PHSネットワークデバイスに送信し、第2のCPRIポートを使用することによって第2のユニットにI/Qデータを送信するように構成され、ここで、
第2のPHSネットワークデバイスはPHSサーバデバイスであり、第2のユニットはベースバンドユニットBBUである、または、第2のPHSネットワークデバイスはPHSクライアントデバイスであり、第2のユニットはリモート無線ユニットRRUである。
【０１４０】
本発明のいくつかの実施形態では、パケットデータは、第1のパケット処理交換PHSネットワークデバイスによって第2のPHSネットワークデバイスに送信されることになるデータであり、I/Qデータは、第1のユニットによって第2のユニットに送信されることになるデータであり、
第1のデバイスは、第1のPHSネットワークデバイスからパケットデータを受信し、第1のユニットからI/Qデータを受信し、そのパケットデータを変換データに変換した後に、CPRIチャネルを使用することによって変換データおよびI/Qデータをデータ転送デバイスに送信するように構成され、ここで、
第1のデバイスの第1のイーサネットインターフェースは第1のPHSネットワークデバイスに接続され、第1のデバイスの第1のCPRIポートは第1のユニットに接続される。
【０１４１】
本発明のいくつかの実施形態では、第2のPHSネットワークデバイスがPHSサーバデバイスであるとき、第1のPHSネットワークデバイスはPHSクライアントデバイスであり、第1のユニットはRRUである、または、
第2のPHSネットワークデバイスがPHSクライアントデバイスであるとき、第1のPHSネットワークデバイスはPHSサーバデバイスであり、第1のユニットはBBUである。
【０１４２】
本発明のいくつかの実施形態では、プロセッサ702は、具体的に、以下を行うように構成される:I/Qデータを運ぶために使用される第1の送信資源および変換データを運ぶために使用される第2の送信資源を判定し、第1の送信資源からI/Qデータを読み取り、第2の送信資源から変換データを読み取る。
【０１４３】
本発明のいくつかの実施形態では、プロセッサ702は、具体的に、以下を行うように構成される:第1の送信資源を判定し、第1の送信資源からI/Qデータを読み取り、CPRIチャネルの送信資源のうちの第1の送信資源を除く送信資源を判定し、CPRIチャネルの送信資源のうちの第1の送信資源を除く送信資源を第2の送信資源であると判定し、第2の送信資源から変換データを読み取る。
【０１４４】
本発明のいくつかの実施形態では、データ転送デバイスはさらに、第4のCPRIポートを含み、CPRIチャネルの両端は、別個に、第1のデバイスの第3のCPRIポートおよびデータ転送デバイスの第4のCPRIポートであり、
送受信機701は、具体的に、以下を行うように構成される:第1のデバイスの第3のCPRIポートを使用することによって第1のデバイスによって送信される変換データおよびI/Qデータをデータ転送デバイスの第4のCPRIポートを使用することによって受信し、ここで、変換データおよびI/Qデータは共通公衆無線インターフェースCPRIチャネルの送信資源において運ばれる。
【０１４５】
前述の実施形態における本発明の説明から分かるように、第1のデバイスによって処理された後に、PHSネットワークデバイスからのパケットデータおよびBBU(またはRRU)からのI/Qデータは、CPRIチャネルの送信資源で運ばれ、第2のデバイスに送信することができ、もう1つのPHSネットワークデバイスの第2のデバイスおよびRRU(またはBBU)によってそれぞれ提供することができる。したがって、CPRIチャネルの送信資源で運ばれるデータの量は増加し、資源活用は改善され、それによって、CPRIポートの低い送信帯域幅利用率の問題を解決する。
【０１４６】
図8を参照すると、本発明の一実施形態で提供されるデータ送信システム800は、第1のデバイス600および第2のデバイス700を含み、ここで、第1のデバイス600は、図6に記載されたデータ転送デバイス600であり、第2のデバイス700は、図7に記載されたデータ転送デバイス700である。
【０１４７】
本発明のいくつかの実施形態では、データ送信システム800はさらに、第1のユニット801および第2のユニット802を含み、ここで、
第1のデバイスは、第1のCPRIポートを使用することによって第1のユニットに接続され、第2のデバイスは、第2のCPRIポートを使用することによって第2のユニットに接続され、
第1のユニットは、第1のCPRIポートを使用することによって同相/直角位相I/Qデータを第1のデバイスに送信するように構成され、
第2のユニットは、第2のデバイスによって送信されたI/Qデータを第2のCPRIポートを使用することによって受信するように構成される。
【０１４８】
本発明のいくつかの実施形態では、データ送信システム800はさらに、第1のPHSネットワークデバイス803および第2のPHSネットワークデバイス804を含み、ここで、
第1のデバイスは、第1のイーサネットインターフェースを使用することによって第1のPHSネットワークデバイスに接続され、第2のデバイスは、第2のイーサネットインターフェースを使用することによって第2のPHSネットワークデバイスに接続される。
【０１４９】
前述の実施形態におけるデータ送信システムの説明から分かるように、第1のデバイスによって処理された後に、PHSネットワークデバイスからのパケットデータおよびBBU(またはRRU)からのI/Qデータは、CPRIチャネルの送信資源で運ばれ、第2のデバイスに送信することができ、もう1つのPHSネットワークデバイスの第2のデバイスおよびRRU(またはBBU)によってそれぞれ提供することができる。したがって、CPRIチャネルの送信資源で運ばれるデータの量は増加し、資源活用は改善され、それによって、CPRIポートの低い送信帯域幅利用率の問題を解決する。
【０１５０】
加えて、記載された装置の実施形態は単に例示であることに留意されたい。別個の部分として説明されたユニットは、物理的に別個であってもなくてもよく、ユニットとして表示された部分は、物理ユニットであってもなくてもよく、1つの場所に置かれてもよく、複数のネットワークユニットに分散されてもよい。モジュールの一部またはすべては、実施形態の解決法の目的を達成するための実際のニーズに従って選択することができる。加えて、本発明で提供される装置の実施形態の添付の図面において、モジュール間の接続関係は、それらのモジュールが互いに通信接続されることを表し、具体的には、1つまたは複数の通信バスまたは信号線として実装され得る。当業者は、創造的な活動なしに本発明の実施形態を理解および実装し得る。
【０１５１】
実施形態の前述の説明に基づいて、本発明は、必要な汎用ハードウェアに加えたソフトウェアによって、または、専用集積回路、専用CPU、専用メモリ、専用構成要素などを含む専用ハードウェアのみによって、実装され得ることが、当業者には明確に理解され得る。概して、コンピュータプログラムによって実行することができる任意の機能は、対応するハードウェアを使用することによって容易に実装することができる。さらに、同機能を達成するために使用される特定のハードウェア構造は、様々な形、たとえば、アナログ回路、デジタル回路、専用回路などの形、でもよい。しかし、本発明に関して、ソフトウェアプログラム実装が、多くの場合に、よりよい実装方式である。そのような理解に基づいて、基本的に本発明の技術的解決法または先行技術に寄与する部分は、ソフトウェア製品の形で実装され得る。そのソフトウェア製品は、コンピュータのフロッピディスク、USBフラッシュドライブ、取外し可能ハードディスク、読取り専用メモリ(ROM、Read-Only Memory)、ランダムアクセスメモリ(RAM、Random Access Memory)、磁気ディスク、または光ディスクなどの可読記憶媒体に記憶され、本発明の実施形態で説明される方法を実行するようにコンピュータデバイス(パーソナルコンピュータ、サーバ、ネットワークデバイスなどでもよい)に指示するためのいくつかの命令を含む。
【０１５２】
前述の実施形態は、単に、本発明の技術的解決法を説明することを意図されており、本発明を限定することは意図されていない。本発明は前述の実施形態を参照して詳細に説明されるが、当業者は、本発明の実施形態の技術的解決法の範囲を逸脱することなしに、前述の実施形態で説明される技術的解決法にさらに修正を行い得る、または、そのいくつかの技術的特徴に同等の置換を行い得ることが、当業者には理解されよう。
【符号の説明】
【０１５３】
600  データ転送デバイス
601  送受信機
602  プロセッサ
700  データ転送デバイス
701  送受信機
702  プロセッサ
800  データ送信システム
801  第1のユニット
802  第2のユニット
803  第1のPHSネットワークデバイス
804  第2のPHSネットワークデバイス
【図１−ａ】
0006338074.tif 000004
【図１−ｂ】
0006338074.tif 000005
【図２】
0006338074.tif 000006
【図３−ａ】
0006338074.tif 000007
【図３−ｂ】
0006338074.tif 000008
【図４】
0006338074.tif 000009
【図５−ａ】
0006338074.tif 000010
【図５−ｂ】
0006338074.tif 000011
【図６】
0006338074.tif 000012
【図７】
0006338074.tif 000013
【図８】
0006338074.tif 000014